(57)【要約】      （修正有）【課題】専用の工具なしでは、ねじを取り外すことができない頭形状としたねじを提供する。【解決手段】被固定材を固定部に固定するねじであって、ねじ頭部１１の天面には、中心部から偏芯したリセスである一点の丸穴１０を有し、工具をねじ頭部の外周と穴へ勘合し、この２点で支持を行い回すことで取り外しを行う事を特徴としてねじを構成する。専用工具は、ねじと一対の形状をなしており、ねじの形状に依存する。これにより、第三者による不要な取り外しをしにくいものとなる。【選択図】図１
0003171573.tif 000002
【実用新案登録請求の範囲】
【請求項１】
被固定材を固定部に固定するねじであって、頭部に設置した一個の穴によりトルクの伝達が行うことのできる特殊ねじ。
【請求項２】
ねじ頭部の穴位置と工具の組み合わせにより、いたずら防止目的を特徴とする請求項１の特殊ねじ。
【請求項３】
ねじ部は、めねじ部材であるナットまたは、おねじ部材であるボルトとする事を特徴とする請求項１から２のいずれかに記載の特殊ねじ。
【考案の詳細な説明】
【技術分野】
【０００１】  本考案は、おもに第三者による不要なねじの取り外しを防ぐ目的にかかり、これにより取り付け物が不用意に取り外される事を防止する技術に関するものである。
【背景技術】
【０００２】  もともと、ねじは部材の固定を行うために使用されてきた。基本的にねじは、螺旋上のねじ部と頭部から形成されており、締結力を発揮させるために回転力を発生させなければならない。通常の場合、ドライバーやスパナなどの工具を利用して、ねじに回転トルクを加え締結を可能としている。そのため、ドライバーの入る十字や六角の穴があいていたり、ねじの頭部が六角であったりする。しかしながら、工具があれば誰でも緩めることができるため、第三者のいたずらによる取り外しなどの原因にもなってきた。
【先行技術文献】
【０００３】
【特許文献】
【特許文献】  特許公開２００７−２１１９４８公報
【考案の概要】
【考案が解決しようとする課題】
【０００４】  ねじは、手で回すものやドライバー・レンチ・スパナなどの工具により締結を行うもの等、さまざまな形状があり締め付けや取り外しを簡単に行う事ができる便利なものであるが、その反面、誰にでも取り外しが可能であり第三者による不要な取り外しが起こる原因にもなる。不要な取り外しは盗難や、構造物においては事故につながる事もある。この不要な取り外しを防ぐために、ドライバーを使用しながら特殊なリセスにより容易に取り外しをできなくする事を実現する。
【課題を解決するための手段】
【０００５】  本考案は、第三者による取り外しが行いにくくするため、第三者にとって回しにくいねじの考案を行うものである。その手段として、一般流通品として出回っている十字穴や六角穴、すり割などの一般的なリセスを使用することなく、偏芯したひとつの穴によるリセスにより、ねじにトルクを加える。この特殊なリセス構造により、専用工具とセットでなければ締め付け・取り外しを行う事ができない。また、ねじの径に応じた専用工具を使用するものとなって。
【考案の効果】
【０００６】  本考案は、第三者による不必要なねじの取り外しを防止できる効果を有している。
【図面の簡単な説明】
【０００７】
【図１】ねじの構成を示す図である。
【図２】ねじにトルクを与える工具の構成を示す図である。
【図３】ねじと工具の実施形態を示す図である。
【考案を実施するための形態】
【０００８】  本考案の実施形態を図１乃至図３を参照して説明する。図１は、特殊なリセスを有する、ねじの構成を示す図である。図２は、特殊リセスに回転トルクを加える工具の構成を示す図である。図３は、ねじと工具の実施形態を示す図である。
【０００９】［構成］
本実施形態におけるねじは、図１にあるように、頭部とねじ部が一体となった状態で構成される。また頭部の上辺部には本考案の核となる特殊リセスが配置されている。以下、各構成に関して詳述する。
【００１０】  図１に表記のねじ１は、（ａ）は上部、（ｂ）は側部から見た図であり。構成としては、ねじ頭部１１とねじ部１２からなる。図１では、ねじ部は雄ねじになっているが雌ねじでも構わない。（ａ）の図で見ると、トルク伝達用丸穴１０が中央部から偏芯した位置に配置されている。
【００１１】  図２は、図１で示したねじのトルク伝達用丸穴に回転トルクを伝えるための専用工具であり、（ａ）は上部、（ｂ）は側部、（ｃ）は下部から見た図となる。（ａ）の図で見るとトルク伝達ピン３１は適合する図１表記のねじのトルク伝達用丸穴１０と中心部から同位置に出っ張った状態で配置される。また側壁３２は適合する図１表記のねじの外周よりも、やや大きい内径で配置される。（ｂ）で見ると、ソケット差し込み部３３により、手で回すためのドライバーソケットや電動工具用の六角ソケットに勘合するように構成されている。
【００１２】  回転トルクを加える原理としては、図１のねじ頭部１１に偏芯して開けられた穴に、図２の専用工具のトルク伝達ピン３１を勘合させ、さらに側壁３２でねじの外周を支えることで３点以上の支点を作ることができる。これにより、トルク伝達ピンが中心のねじ部１２にトルクを伝達する事ができる構造となっている。偏芯穴は中心以外であればトルクの伝達が可能になっている。
【００１２】  ねじと専用工具の関係は、ねじの頭部径と、ねじに配置されたトルク伝達用丸穴の位置と径に依存している。そのため、専用工具とねじが組み合わせとして構成されており、これにより第三者による取り外しを防ぐ効果を発揮するものとなっている。
【実施例】
【００１３】  次に上記のねじの実施例を図３を使用して説明する。【００１４】  図３は、本考案のねじ１によって締結物Ｔと固定物Ｋの締め付けを行う際の実施図となっている。ねじのトルク伝達用丸穴１０に対して専用工具のトルク伝達ピン３１が勘合され、さらに側壁３２はねじの外周に接地している状態になっている。トルク伝達ピンは、側壁を支点として、ねじに回転トルクをあたえ締め付けを可能とする。丸穴が一か所という特殊なリセス形状により、通常の工具やピンでは一点の支持しかできないため回す事が出来ない。【００１５】  専用工具は、手回しや電動工具などの六角ソケットＳに勘合できるように構成されている。専用工具は、図上ではビット形状になっているが持ち手まで一体化された工具でも構わない。【００１６】  また、取り外し時も専用工具を使用しなければならない。専用工具は、ねじと一対の形状をなしており、ねじの形状に依存する。これにより、第三者による不要な取り外しをしにくいものとしている。
【産業上の利用可能性】
【００１７】本考案は、第三者による不必要な、ねじの取り外しを防ぐ事を目的としており、露出している、様々なねじに応用利用が可能となり産業上の利用可能性を有する。
【符号の説明】
【００１８】１      ねじ
１０    トルク伝達用丸穴
１１    ねじ頭部
１２    ねじ部
２０    専用工具
３１    トルク伝達ピン
３２    側壁
３３    ソケット差し込み部
【図１】
0003171573.tif 000003
【図２】
0003171573.tif 000004
【図３】
0003171573.tif 000005
【手続補正書】
【提出日】平成23年8月18日(2011.8.18)
【手続補正１】
【補正対象書類名】実用新案登録請求の範囲
【補正対象項目名】全文
【補正方法】変更
【補正の内容】
【実用新案登録請求の範囲】
【請求項１】
被固定材を固定部に固定するねじであって、ねじ頭部の天面には、中心部から偏芯したリセスである一点の丸穴を有し、工具をねじ頭部の外周と穴へ勘合し、この２点で支持を行い回すことで取り外しを行う事を特徴とするねじ。
【請求項２】
ねじ部は、めねじ部材であるナットまたは、おねじ部材であるボルトとする事を特徴とする請求項１に記載のねじ。